(57)【要約】【課題】定型用紙の寸法を基本に構成され、書類の分類並びに検索用に一部を突出させた見出しと綴じ孔とを有する従来のインデックス用紙に比べ、少ない種類のインデックス用紙であっても、他のインデックス用紙の見出し部とその突出位置を変更すること及びインデックス用紙の使用方法を変更することによって、複数のインデックス用紙がある場合でもその位置を一瞥して判別可能とする。【解決手段】ファイリング用具内の紙類の間に挿入して分類並びに検索用に一部を突出させた見出しと綴じ孔とを有するインデックス用紙であって、縦方向の長さが定型用紙の長さよりも短く、インデックス用紙の複数の辺に綴じ孔が設けられており、また、綴じ孔が１つの辺に複数組設けられていることにより、一つの種類のインデックス用紙を複数位置にて綴じることができ、これにより見出しの突出位置を変更できる。【選択図】図６
2016159623.tif 000002
【特許請求の範囲】
【請求項１】
ファイリング用具内の紙類の間に挿入して分類並びに検索用に一部を突出させた見出しと綴じ孔とを有するインデックス用紙であって、縦方向の長さが定型用紙の長さよりも短いことを特徴とするインデックス用紙。
【請求項２】
前記縦方向の長さが定型用紙の横方向の長さ以下であることを特徴とする請求項１に記載のインデックス用紙。
【請求項３】
前記綴じ孔が複数の辺に設けられていることを特徴とする請求項１又は２に記載のインデックス用紙。
【請求項４】
前記綴じ孔が１つの辺に複数組設けられていることを特徴とする請求項１乃至３いずれかに記載のインデックス用紙。
【発明の詳細な説明】
【技術分野】
【０００１】  この発明は、ファイリング用具内の紙類の間に挿入して分類並びに検索用に一部を突出させた見出しと綴じ孔とを有するインデックス用紙に関する。
【背景技術】
【０００２】  従来、インデックス用紙は、ＪＩＳ  Ｐ  ０１３８又はＩＳＯ  ２１６等で定められた規格の定型用紙の寸法を基本に構成され、一つの辺にＪＩＳ  Ｓ  ６０４１、ＪＩＳ  Ｚ  ８３０３又はＩＳＯ  ８３８等で定められた規格の綴じ孔を有し、綴じ孔の辺を除き一つの辺に書類の分類・検索を目的とした見出し部を有していた。例えば、図１５、１７に示すように、インデックス用紙５１、７１は定型用紙の寸法にて構成され、一つの辺に綴じ孔５３、７３を有し、綴じ孔の存在しない辺に見出し部５２、７２を設け更に他のインデックス用紙の見出し部とその突出位置を変更することで、複数のインデックス用紙がある場合でもその位置を一瞥して判別可能としていた。なお、見出し位置はインデックス用紙の上辺（図１６、１８）や下辺にしても良い。【０００３】  また、各インデックス用紙を色分けして、色による見出しの作成によって分類・検索をより容易にするものもある。また、材質をプラスチックフィルム等の丈夫な材質とすることで耐久性を高めたものも存在する。【０００４】  これらのインデックス用紙が他の書類と共にファイリング用具に綴じられ見出しとして使用された。
【先行技術文献】
【特許文献】
【０００５】
【特許文献１】特許第４４３１２８８号公報
【特許文献２】特開平９−２９５４８８号公報
【発明の概要】
【発明が解決しようとする課題】
【０００６】  定型用紙の寸法を基本に構成され、書類の分類並びに検索用に一部を突出させた見出しと綴じ孔とを有する従来のインデックス用紙の場合、他のインデックス用紙の見出し部とその突出位置を変更することで、複数のインデックス用紙がある場合でもその位置を一瞥して判別可能としていたため、多くの種類のインデックス用紙が必要であった。そのため本発明の目的は、従来に比べて少ない種類のインデックス用紙であっても、他のインデックス用紙の見出し部とその突出位置を変更すること及びインデックス用紙の使用方法を変更することによって、複数のインデックス用紙がある場合でもその位置を一瞥して判別可能とすることにある。【０００７】  定型用紙の寸法を基本に構成された従来のインデックス用紙を使用した場合において、定型用紙よりも横方向の寸法が長い書類を綴じた場合、インデックス用紙の見出しが書類に隠れてしまうことがあった。そのため本発明の目的は、定型用紙よりも横方向の寸法が長い書類等を綴じることによりインデックス用紙の見出しが書類に隠れた場合であっても、インデックス用紙の使用方法を変更することによって見出しが書類に隠れずに使用可能とすることにある。
【課題を解決するための手段】
【０００８】  前記の目的を達成するため、本発明に係るインデックス用紙は、ファイリング用具内の紙類の間に挿入して分類並びに検索用に一部を突出させた見出しと綴じ孔とを有するインデックス用紙であって、縦方向の長さが定型用紙の長さよりも短いことを特徴とする。【０００９】  また、本発明に係るインデックス用紙は、縦方向の長さが定型用紙の横方向の長さ以下であることを特徴とする。【００１０】  また、本発明に係るインデックス用紙は、綴じ孔が複数の辺に設けられていることを特徴とする。【００１１】  また、本発明に係るインデックス用紙は、綴じ孔が１つの辺に複数組設けられていることを特徴とする。
【発明の効果】
【００１２】  本発明によれば、ファイリング用具内の紙類の間に挿入して分類並びに検索用に一部を突出させた見出しと綴じ孔とを有するインデックス用紙であって、縦方向の長さが定型用紙の長さよりも短く、綴じ孔が１つの辺に複数組設けられていることにより、一つの種類のインデックス用紙を複数位置にて綴じることができ、これにより見出しの突出位置を変更できるインデックス用紙を提供できる。【００１３】  また、インデックス用紙の複数の辺に綴じ孔が設けられていることにより、一つの種類のインデックス用紙を向きを変えて綴じることができ、これにより見出しの突出する辺を変更できるインデックス用紙を提供できる。
【図面の簡単な説明】
【００１４】
【図１】本発明に係るインデックス用紙の第１の実施形態であり、ファイリング用具に定型用紙と共に綴じた場合の正面図。
【図２】本発明に係るインデックス用紙の第２の実施形態であり、第１の実施形態であるインデックス用紙にスライド用綴じ孔１４、１５を設けた場合の正面図。
【図３】第２の実施形態であるインデックス用紙を、スライド用綴じ孔１５を使用してファイリング用具に綴じた場合の正面図。
【図４】第２の実施形態であるインデックス用紙を、スライド用綴じ孔１４を使用してファイリング用具に綴じた場合の正面図。
【図５】本発明に係るインデックス用紙の第３の実施形態であり、第２の実施形態であるインデックス用紙に向き変更用綴じ孔１６を設け、向き変更用綴じ孔１６を使用してファイリング用具に綴じた場合の正面図。
【図６】第２と第３の実施形態であるインデックス用紙を、ファイリング用具に定型用紙と共に綴じた場合の斜視図。
【図７】本発明に係るインデックス用紙の第４の実施形態であり、ファイリング用具に定型用紙と共に綴じた場合の正面図。
【図８】第４の実施形態であるインデックス用紙を、図７の綴じ位置からスライドさせてファイリング用具に綴じた場合の正面図。
【図９】本発明に係るインデックス用紙の第５の実施形態であり、第４の実施形態であるインデックス用紙に向き変更用綴じ孔２４を設け、向き変更用綴じ孔２４を使用してファイリング用具に綴じた場合の正面図。
【図１０】本発明に係るインデックス用紙の第６の実施形態であり、ファイリング用具に定型用紙と共に綴じた場合の正面図。
【図１１】第６の実施形態であるインデックス用紙複数枚を、位置をずらしてファイリング用具に綴じた場合の正面図。
【図１２】本発明に係るインデックス用紙の第７の実施形態であり、ファイリング用具に定型用紙と共に綴じた場合の正面図。
【図１３】第７の実施形態であるインデックス用紙を反転させてファイリング用具に綴じた場合の正面図。
【図１４】本発明に係るインデックス用紙の第８の実施形態であり、第７の実施形態であるインデックス用紙に向き変更用綴じ孔４４を設け、向き変更用綴じ孔４４を使用してファイリング用具に綴じた場合の正面図。
【図１５】見出しが側部に設けられた従来のインデックス用紙である。
【図１６】見出しが上部に設けられた従来のインデックス用紙である。
【図１７】綴じ孔が複数設けられ、見出しが側部に設けられた従来のインデックス用紙である。
【図１８】綴じ孔が複数設けられ、見出しが上部に設けられた従来のインデックス用紙である。
【発明を実施するための形態】
【００１５】  発明を実施するための形態を図面を参照にして説明する。図１は本発明に係るインデックス用紙の第１の実施形態であり、インデックス用紙１１を定型用紙１に重ねた場合の正面図である。インデックス用紙１１は、その１辺に書類の分類並びに検索用の見出し１２を有し、他の１辺に綴じ孔１３が設けられている。インデックス用紙１１の横方向の寸法ａ１は、定型用紙１の横方向の寸法Ａ１と同じであり、縦方向の寸法ｂ１は、定型用紙１の縦方向の寸法Ｂ１よりも短く、望ましくはＢ１の９０％よりも短く、更にはＢ１の８０％よりも短く、更にはＡ１と同じかＡ１よりも短かければよい。
これにより、定型用紙の寸法を基本に構成された従来のインデックス用紙に比べ、用紙面積が小さいインデックス用紙を提供できる。
なお、インデックス用紙１１は複数存在しており、各インデックス用紙において、重ねた際に書類の分類並びに検索用の見出し１２がそれぞれ重ならない状態となるように設けられる。
【００１６】  図２は本発明に係るインデックス用紙の第２の実施形態であり、第１の実施形態であるインデックス用紙にスライド用綴じ孔１４、１５を設けた場合の正面図である。図３はスライド用綴じ孔１５を使用してファイリング用具に綴じた場合の正面図であり、図４はスライド用綴じ孔１４を使用してファイリング用具に綴じた場合の正面図である。
ファイリング用具にスライド用綴じ孔１４、１５を使用して綴じた場合に、インデックス用紙１１が定型用紙１からはみ出さない範囲でスライドできるようにスライド用綴じ孔１４、１５が設けられている。スライド用綴じ孔１４、１５の他にも同様の目的のためにスライド用綴じ孔を複数組設けてもよい。スライド用綴じ孔１４、１５は製造の段階で設けてもよく、また、使用者によって設けられてもよい。
これにより、一つの種類のインデックス用紙を複数位置にて綴じることができ、見出しの突出位置を変更できるインデックス用紙を提供できる。
【００１７】  図５は本発明に係るインデックス用紙の第３の実施形態であり、第２の実施形態であるインデックス用紙に向き変更用綴じ孔１６を設け、向き変更用綴じ孔１６を使用してファイリング用具に綴じた場合の正面図である。ファイリング用具に向き変更用綴じ孔１６を使用して綴じた場合に、書類の分類並びに検索用の見出し１２が定型用紙１の上方から突き出すように向き変更用綴じ孔１６が設けられている。向き変更用綴じ孔１６は製造の段階で設けてもよく、また、使用者によって設けられてもよい。
これにより、一つの種類のインデックス用紙を向きを変えて綴じることができ、見出しの突出する辺を変更できるインデックス用紙を提供できる。
【００１８】  図６は第２と第３の実施形態であるインデックス用紙を、ファイリング用具に定型用紙１と共に綴じた場合の斜視図である。スライド用綴じ孔を使用してインデックス用紙を組み合わせて綴じることにより、書類の分類並びに検索用の見出しを定型用紙の側辺全長に渡って突出させている。また、向き変更用綴じ孔を使用してインデックス用紙を綴じることにより、書類の分類並びに検索用の見出しを定型用紙の上方から突出させている。
【００１９】  図７は本発明に係るインデックス用紙の第４の実施形態であり、ファイリング用具に定型用紙３と共に綴じた場合の正面図である。定型用紙３は綴じ孔を複数設けられた定型用紙である。インデックス用紙２１は、その１辺に書類の分類並びに検索用の見出し２２を有し、他の１辺に綴じ孔２３が設けられている。インデックス用紙２１の横方向の寸法ａ２は、定型用紙３の横方向の寸法Ａ２と同じであり、縦方向の寸法ｂ２は、定型用紙３の縦方向の寸法Ｂ２よりも短く、望ましくはＢ２の９０％よりも短く、更にはＢ２の８０％よりも短く、更にはＡ２と同じかＡ２よりも短かければよい。
これにより、定型用紙の寸法を基本に構成された従来のインデックス用紙に比べ、用紙面積が小さいインデックス用紙を提供できる。また、一つの種類のインデックス用紙をスライドさせて綴じることができ、見出しの突出位置を変更できるインデックス用紙を提供できる。
なお、インデックス用紙２１は複数存在しており、各インデックス用紙において、重ねた際に書類の分類並びに検索用の見出し２２がそれぞれ重ならない状態となるように設けられる。
図８はインデックス用紙２１を、図７の綴じ位置からスライドさせてファイリング用具に綴じた場合の正面図である。
【００２０】  図９は本発明に係るインデックス用紙の第５の実施形態であり、第４の実施形態であるインデックス用紙に向き変更用綴じ孔２４を設け、向き変更用綴じ孔２４を使用してファイリング用具に綴じた場合の正面図である。
ファイリング用具に向き変更用綴じ孔２４を使用して綴じた場合に、書類の分類並びに検索用の見出し２２が定型用紙３の上方から突き出すように向き変更用綴じ孔２４が設けられている。向き変更用綴じ孔２４は製造の段階で設けてもよく、また、使用者によって設けられてもよい。
これにより、一つの種類のインデックス用紙を向きを変えて綴じることができ、見出しの突出する辺を変更できるインデックス用紙を提供できる。
【００２１】  図１０は本発明に係るインデックス用紙の第６の実施形態であり、ファイリング用具に定型用紙３と共に綴じた場合の正面図である。定型用紙３は綴じ孔を複数設けられた定型用紙である。インデックス用紙３１は、その１辺に書類の分類並びに検索用の見出し３２を有し、他の１辺に綴じ孔３３が設けられている。インデックス用紙３１の横方向の寸法ａ３は、定型用紙３の横方向の寸法Ａ３と同じであり、縦方向の寸法ｂ３は、検索用の見出し３２と同じ長さである。
これにより、定型用紙の寸法を基本に構成された従来のインデックス用紙に比べ、用紙面積が小さいインデックス用紙を提供できる。また、一つの種類のインデックス用紙をスライドさせて綴じることができ、見出しの突出位置を変更できるインデックス用紙を提供できる。
図１１は第６の実施形態であるインデックス用紙複数枚を、位置をずらしてファイリング用具に綴じた場合の正面図である。
【００２２】  図１２は本発明に係るインデックス用紙の第７の実施形態であり、ファイリング用具に定型用紙１と共に綴じた場合の正面図である。インデックス用紙４１は、その１辺に書類の分類並びに検索用の見出し４２を有し、他の１辺に綴じ孔４３が設けられている。インデックス用紙４１の横方向の寸法ａ４は、定型用紙１の横方向の寸法Ａ１と同じである。縦方向の寸法ｂ４１は、定型用紙１の縦方向の寸法Ｂ１よりも短く、望ましくはＢ１の９０％よりも短く、更にはＢ１の８０％よりも短く、更にはＡ１と同じかＡ１よりも短かければよい。縦方向の寸法ｂ４２は、ｂ４１よりも短く、望ましくはＢ１の２分の１であればよい。ファイリング用具に綴じ孔４３を使用して綴じた場合に、インデックス用紙４１の上辺が定型用紙１の上辺に合うように綴じ孔４３が設けられている。綴じ孔４３は製造の段階で設けてもよく、また、使用者によって設けられてもよい。
なお、インデックス用紙は複数存在しており、各インデックス用紙において、重ねた際に書類の分類並びに検索用の見出し４２がそれぞれ重ならない状態となるように設けられる。
図１３は、図１２のインデックス用紙４１と共に反転させたインデックス用紙４１を綴じ孔４３を使用して綴じた場合の正面図である。定型用紙の側辺全長に渡って書類の分類並びに検索用の見出し４２を突き出している。
これらにより、定型用紙の寸法を基本に構成された従来のインデックス用紙に比べ、用紙面積が小さいインデックス用紙を提供できる。また、反転させて使用することにより見出しの突出位置を変更できるインデックス用紙を提供できる。
【００２３】  図１４は本発明に係るインデックス用紙の第８の実施形態であり、第７の実施形態であるインデックス用紙に向き変更用綴じ孔４４を設け、向き変更用綴じ孔４４を使用してファイリング用具に綴じた場合の正面図である。書類の分類並びに検索用の見出し４２が定型用紙１の上方から突き出すように向き変更用綴じ孔４４が設けられている。向き変更用綴じ孔４４は製造の段階で設けてもよく、また、使用者によって設けられてもよい。
これにより、一つの種類のインデックス用紙を向きを変えて綴じることができ、これにより見出しの突出する辺を変更できるインデックス用紙を提供できる。
【産業上の利用可能性】
【００２４】  本発明に係るインデックス用紙は、ファイリング用具に好適に用いることができる。
【符号の説明】
【００２５】１、３  定型用紙
２  ファイリング用具
１１、２１、３１、４１、５１、６１、７１、８１  インデックス用紙
１２、２２、３２、４２、５２、６２、７２、８２  書類の分類並びに検索用の見出し
１３、２３、３３、４３、５３、６３、７３、８３  綴じ孔
１４、１５  スライド用綴じ孔
１６、２４、４４  向き変更用綴じ孔
【図１】
2016159623.tif 000003
【図２】
2016159623.tif 000004
【図３】
2016159623.tif 000005
【図４】
2016159623.tif 000006
【図５】
2016159623.tif 000007
【図６】
2016159623.tif 000008
【図７】
2016159623.tif 000009
【図８】
2016159623.tif 000010
【図９】
2016159623.tif 000011
【図１０】
2016159623.tif 000012
【図１１】
2016159623.tif 000013
【図１２】
2016159623.tif 000014
【図１３】
2016159623.tif 000015
【図１４】
2016159623.tif 000016
【図１５】
2016159623.tif 000017
【図１６】
2016159623.tif 000018
【図１７】
2016159623.tif 000019
【図１８】
2016159623.tif 000020